(57)【特許請求の範囲】
【請求項１】
コンクリート躯体の外壁面に塗るモルタル層に設けられる伸縮目地の形成方法において、
前記伸縮目地を形成する所定の部位に沿って予め前記コンクリート躯体の打設形成時にその増打部分を欠き込んで目地棒を設置するための溝状の凹部を形成しておき、
前記凹部内に、目地棒のコンクリート躯体の外壁面からの突出量を調整するための出入り調整部材と、
目地棒を前記コンクリート躯体の外壁面から所定量突出した状態に固定する取付部材とを設け、
該取付部材は、両側部を弾性力によって前記凹部の両側面部に係合させることにより、前記凹部内に固定されていることを特徴とする伸縮目地の形成方法。
【請求項２】
前記凹部の両側面部には、前記取付部材の両側部を係合させるための係合溝が設けられていることを特徴とする請求項１に記載の伸縮目地の形成方法。
【請求項３】
前記目地棒には発砲樹脂材を用い、シーリング材のバックアップ材として埋設することを特徴とする請求項１又は２に記載の伸縮目地の形成方法。
【請求項４】
前記目地棒の設置用の凹部を、前記コンクリート躯体の打設形成時に打ち込み型枠を用いて予め形成することを特徴とする請求項１〜３の何れかに記載の伸縮目地形成方法。
【発明の詳細な説明】
【０００１】
【発明の属する技術分野】
本発明は、伸縮目地の形成方法及びその伸縮目地に係わり、特にコンクリート躯体の外壁面に塗るモルタル層の塗り厚に係わらず適正な伸縮目地を容易に形成し得るようにした伸縮目地の形成方法に関する。
【０００２】
【従来の技術】
一般に、コンクリート躯体の外壁面にはモルタルによる外装仕上げ、あるいは下地モルタル上にタイルを貼り付けた外装タイル張り仕上等の左官工事を行うが、躯体とモルタル層との膨張収縮率の差に起因してこのモルタル層に無秩序な亀裂が発生するのを防止するために、当該モルタル層にはその膨張及び収縮を吸収するための伸縮目地を所定の部位に沿って予め設けておく必要がある。
【０００３】
そこで従来では、モルタル層を形成するにあたっては、図５に示すように、先ず塗り付けるモルタル層１０の厚み分に略等しい厚みを有する木製の目地棒２を、コンクリート躯体４の外壁面の所定部位に沿ってモルタル６で事前に固定しておくとともに、当該目地棒２の外側表面には張り糸８を掛け渡し、この張り糸８を塗り厚の目安としてモルタルを塗り付け、塗布したモルタル層１０の乾燥後に上記目地棒２を撤去してそこにシーリング材を充填することにより伸縮目地を形成する様にしていた。
【０００４】
【発明が解決しようとする課題】
しかしながら、上記従来の形成方法にあっては、モルタル層１０の塗り厚が１０ミリ以上あれば、目地棒２の固定強度を十分に確保してこれを事前にモルタル固定させることができるが、１０ミリ以下であるとその固定強度を十分に確保することが困難であった。このため、モルタル層１０の塗り厚が薄く１０ミリに満たないような場合には、伸縮目地を設置しないままモルタルを一面に塗り付け、硬化した後にモルタル層１０をカッターなどで切除して伸縮目地を形成するようにしているが、適切な伸縮目地とするには躯体４表面に至るまで切り込んでモルタル層１０を切除しなければならないので、その作業は面倒で工期が長くなるとともに、工費がかさむという問題があった。
【０００５】
また、この問題は、特に図６に示すように下地モルタル層１０の上に張り付けモルタル１２でタイル１４を接着する外装タイル張り仕上げを行うような場合に多く生じる。即ち、モルタルの総塗り厚は２０ミリ程度以下に抑えることが望ましいことから、下地モルタル層１０の厚さが１０ミリ未満になり易く、下地モルタル層１０は切除せずにタイル目地部１６のみにシーリング材１８を充填することもあった。
【０００６】
本発明はこの様な事情に鑑みてなされたものであり、その目的は、コンクリート躯体の外壁面に塗るモルタル層の塗り厚に係わらず適正な伸縮目地を容易に形成することができる伸縮目地の形成方法を提供することにある。
【０００７】
【課題を解決するための手段】
上記の目的を達成するために、本出願の請求項１に係る発明は、コンクリート躯体の外壁面に塗るモルタル層に設けられる伸縮目地の形成方法において、前記伸縮目地を形成する所定の部位に沿って予め前記コンクリート躯体の打設形成時にその増打部分を欠き込んで目地棒を設置するための溝状の凹部を形成しておき、前記凹部内に、目地棒のコンクリート躯体の外壁面からの突出量を調整するための出入り調整部材と、目地棒を前記コンクリート躯体の外壁面から所定量突出した状態に固定する取付部材とを設け、該取付部材は、両側部を弾性力によって前記凹部の両側面部に係合させることにより、前記凹部内に固定されているという手段を採用している。
本発明による伸縮目地の形成方法によれば、伸縮目地の設置部位に沿って、コンクリート躯体の外壁面に形成した溝状の凹部内に目地棒を設けることになるので、モルタル層の塗り厚が１０ミリ未満と薄い場合であっても、凹部の深さ分だけ目地棒設置部分におけるモルタル層の塗り厚を増大することができ、充分な固定強度を確保しつつ、目地棒をモルタルによりコンクリート躯体の外壁面に取り付けることができる。
また、凹部は、コンクリート躯体の増打部分に形成することになるので、コンクリート躯体の耐力に悪影響を及ぼすことはない。
さらに、凹部は、コンクリート躯体の打設形成時に形成することになるので、カッター等により硬化後のコンクリート躯体の外壁面を切除する作業が不要となり、目地棒のコンクリート躯体の外壁面への設置が容易となる。
さらに、凹部内には、目地棒の突出量を調整する出入り調整部材が設けられているので、出入り調整部材として種々の厚みのものを予め用意しておくことにより、モルタル層の塗り厚寸法に応じた値に目地棒の突出量を調整できる。
さらに、取付部材は、その両側部を凹部の両側面部に弾性力によって係合させることにより凹部内に取り付けられ、この取付部材を介して目地棒が凹部内に固定されることになるので、目地棒のコンクリート躯体への取付けが容易となる。
【０００８】
さらに、本出願の請求項２に係る発明は、請求項１に記載の伸縮目地の形成方法であって、前記凹部の両側面部には、前記取付部材の両側部を係合させるための係合溝が設けられているという手段を採用している。
本発明による伸縮目地の形成方法によれば、出入り調整部材の厚みに関わらず、取付部材を凹部内に確実に取り付けることができるので、取付部材の凹部内における取付位置がずれるのを防止でき、目地棒の突出量を出入り調整部材の厚みに応じた値に正確に調整することができる。
【０００９】
さらに、本出願の請求項３に係る発明は、請求項１又は２に記載の伸縮目地の形成方法であって、前記目地棒には発砲樹脂材を用い、シーリング材のバックアップ材として埋設するという手段を採用している。
本発明による伸縮目地の形成方法によれば、外装タイル張り仕上げを行う場合の施工性を大幅に向上させることができる。
【００１０】
さらに、本出願の請求項４に係る発明は、請求項１〜３の何れかに記載の伸縮目地の形成方法であって、前記目地棒の設置用の凹部を、前記コンクリート躯体の打設形成時に打ち込み型枠を用いて予め形成するという手段を採用している。
本発明の伸縮目地の形成方法によれば、成形が容易になるとともに、寸法精度を大幅に高めることができ、出入り調整部材による目地棒の突出量の調整を容易にすることができる。
【００１４】
【発明の実施の形態】
以下に、本発明に係わる伸縮目地の形成方法の好適な実施形態例を添付図面に基づき詳述する。
【００１５】
図１において、４はコンクリート躯体であり、このコンクリート躯体４にはその打設形成時に、塩化ビニール材などでなる埋め込み型材２０によって所定の伸縮目地形成部位に沿って目地棒設置用の溝状の凹部２２を、コンクリート躯体４の増打部分を欠き込んで予め一体的に形成しておく。
【００１６】
そして、コンクリート躯体４の外壁面に外装モルタル仕上を行うにあたっては、モルタル層１０を塗り付ける前に、出入り調整部材２４と取付部材２６とを介して凹部２２内に目地棒２８を設置する。
【００１７】
ここで、本実施形態における伸縮目地にあって、目地棒２８には発泡樹脂製のものが採用されており、この目地棒２８は両面テープ３０よって取付部材２６に貼着されるようになっている。また、取付部材２６は横長な帯状の金属板で形成され、その両側部は弾性力に富むようにＺ字状に折り返えされて左右対称に成形されていて、両端部２６ａ，２６ａがその弾性により凹部２２の両側面２２ａ，２２ａに圧着係合して、当該凹部２２内に固定係止可能となっている。従って、目地棒２８を取付部材２６のセンタに取り付けておけば、取付部材２６  を凹部２２内に押し込んで嵌着させるだけで、目地棒２８は自動的に凹部２２のセンタに位置合わせされる様になっている。なお、この取付部材２６は金属板に換えて樹脂で形成するようにしても良い。
【００１８】
また、出入り調整部材２４はパッキン材等でなり、上記取付部材２６の裏面側に同様にして両面テープで貼着されて凹部２２の底面２２ｂとの間に介在され、スペーサとして機能して凹部２２からの目地棒２８の突出量をモルタル層１０の塗り厚に一致させる。詰まり、出入り調整部材２４には種々の厚みのものが予め用意され、目地棒２８の厚みとの和がモルタル層１０の塗り厚寸法ｔと凹部２２の深さ寸法ｈとの和に等しくなる厚みのものが適宜選択される。この際、出入り調節部材２４の厚みを適宜に変えても、取付け部材２６は両側部に形成されたＺ字状の折り返し部の弾性により柔軟に対応して追従し、突出量を適切に調節する。
【００１９】
また、凹部２２を画成する埋込み型材２０の両側面部には、底面２２ｂに隣接して取付け部材２６の両端部２６ａ，２６ａを係合させるための係合溝２２ｃ，２２ｃが側方に向けて凹設形成されており、この係合溝２２ｃ，２２ｃに取付け部材２６の両端部２６ａ，２６ａが係合されることにより、厚めの出入り調節部材２４を使用した場合でも、前方への位置ずれが防止されて、突出量に狂いが生じないようになっている。なお、凹部２２の寸法としては、深さ２０ミリ，横幅５０ミリ程度が好ましい。
【００２０】
そして、以上の様にして目地棒２８を凹部２２内に設置したならば、目地棒２８の外側面にモルタル層１０の塗り厚の目安とする張り糸８を掛け渡して、モルタルを塗り付ける。
【００２１】
即ち、伸縮目地の設置部位に沿って、予めコンクリート躯体４の外壁面に形成しておいた溝状の凹部２２内に目地棒２８を設けるので、モルタル層１０の塗り厚が例え１０ミリ未満と薄い場合でも、当該凹部２２の深さ分だけ目地棒２８の設置部分におけるモルタル層１０の塗り厚が増大されるから、充分な固定強度を確保しつつ目地棒２８を取り付けることが可能になる。そして、凹部２２はコンクリート躯体４の打増部分に形成するから、躯体４の耐力に悪影響を及ぼすこともない。また、凹部２２は躯体４の打設形成時に形成するから、カッター等により硬化後の躯体外壁面を切除する作業を必要とせず、容易に目地棒２８を設置できる。
【００２２】
また、図３に示すように、上記モルタル層１０を下地としてその上にさらにタイル１４を張り付けモルタル１２で取り付ける場合には、発泡樹脂材でなる目地棒２８は撤去せずにそのまま埋設して、タイル目地間のシーリング材３２のバックアップ材とすることができる。
【００２３】
尚、この発明は、基本的には予めコンクリート躯体の打設形成時にその増打部分を欠き込んで所定の伸縮目地の設置部位に沿って目地棒を設置するための溝状の凹部を形成しておき、目地棒はコンクリート躯体外壁面からの突出量をモルタル塗り厚分に一致させて凹部内に設ける様にすれば良い。詰まり、図４に示すように、コンクリート躯体４に深さ１０〜２０ミリ程度の目地棒設置用の凹部２２を予め形成しておくようにすれば、モルタル層１０の塗り厚が１０ミリ未満の薄肉であっても、凹部２２内でモルタル６での固定により木製の目地棒２を充分な固定強度を確保しつつ係止させることができ、モルタル層１０の塗り厚に係わらず適正な伸縮目地を、簡易に設けられる。
【００２４】
【発明の効果】
以上に詳細に説明したように、本出願に係わる発明の伸縮目地の形成方法によれば次のような優れた効果を発揮する。
【００２５】
請求項１に係る発明によれば、モルタル層の塗り厚が１０ミリ未満と薄い場合でも、凹部の深さの分だけ目地棒設置部分におけるモルタル層の塗り厚を増大することができるので、固定強度を十分に確保しつつ目地棒をコンクリート躯体の外壁面に取り付けることができる。また、凹部はコンクリート躯体の増打部分に形成することになるので、コンクリート躯体の耐力に悪影響を及ぼすことはない。さらに、凹部は、コンクリート躯体の打設時に形成することになるので、カッター等により硬化後のコンクリート躯体の外壁面を切除する作業が不要となり、目地棒のコンクリート躯体の外壁面への設置が容易となる。さらに、凹部内には、目地棒の突出量を調整する出入り調整部材が設けられているので、出入り調整部材として種々の厚みのものを予め用意しておくことにより、モルタル層の塗り厚寸法に応じた値に目地棒の突出量を調整できる。さらに、取付部材は、その両側部を凹部の両側面部に弾性力によって係合させることにより凹部内に取り付けられ、この取付部材を介して目地棒が凹部内に固定されることになるので、目地棒のコンクリート躯体の外壁面への取付けが容易となるとともに、目地棒をコンクリート躯体の外壁面から所定量突出した状態に確実に固定することができ、目地棒の突出量に応じた厚みのモルタル層を高精度で形成することができる。
【００２６】
請求項２に係る発明によれば、出入り調整部材の厚みに関わらず、取付部材を凹部内に確実に取り付けることができるので、取付部材の凹部内における取付位置がずれるのを防止でき、目地棒の突出量を出入り調整部材の厚みに応じた値に正確に調整することができる。
【００２７】
請求項３に係る発明によれば、外装タイル張り仕上げを行う場合の施工性を大幅に向上させることができる。
【００２８】
請求項４に係る発明によれば、成形が容易になるとともに、寸法精度を大幅に高めることができ、出入り調整部材による目地棒の突出量の調整を容易にすることができる。
【図面の簡単な説明】
【図１】本願発明の好適な一実施形態例を示す伸縮目地部の平断面図である。
【図２】図１中に示される取り付け部材の斜視図である。
【図３】本願発明を外装タイル張りに適用した場合の一実施形態例を示す伸縮目地の平断面図である。
【図４】本願発明の最も基本的な実施形態を示す平断面図である
【図５】従来の伸縮目地の形成方法の説明に供する平断面図である。
【図６】従来の外装タイル張りに用いられている目地構造を示す平断面図である。
【符号の説明】
４    コンクリート躯体
１０    モルタル層
２，２８    目地棒
２２    溝状の凹部
２２ｂ  底面
２４    出入り調整部材
２６    取付部材
２２ａ  凹部の両側面部
２２ｃ    係合溝
３２    シーリング材
２０    打込型材
【図１】
0003644084.tif 000002
【図２】
0003644084.tif 000003
【図３】
0003644084.tif 000004
【図４】
0003644084.tif 000005
【図５】
0003644084.tif 000006
【図６】
0003644084.tif 000007